(57)【特許請求の範囲】
【請求項１】
利用者識別情報を記憶する記憶手段と、利用者識別情報を入力する入力手段と、前記記憶手段および前記入力手段からの利用者識別情報の比較結果に応じて商品を販売するとともに商品の売買取引を終了するための決済情報を作成する制御手段と、を有する自動販売機と、
利用者識別情報を作成して利用者端末および前記自動販売機の記憶手段に送信し、前記自動販売機の制御手段からの決済情報を受信して決済処理を行う管理装置と、
から成ることを特徴とする自動販売機の商品販売システム。
【請求項２】
前記管理装置は、前記利用者端末からの自動販売機選択情報を受信し、複数の自動販売機の中から自動販売機選択情報と対応する自動販売機を選択し、利用者識別情報をこの自動販売機の記憶手段に送信することを特徴とする請求項１記載の自動販売機の商品販売システム。
【請求項３】
前記管理装置は、利用者識別情報を一定期間毎に変更して、前記利用者端末および前記自動販売機の記憶手段に再送信することを特徴とする請求項１または２記載の自動販売機の商品販売システム。
【請求項４】
前記管理装置は、前記自動販売機の制御手段から利用者識別情報および商品販売金額情報を関連付けた決済情報を受信することを特徴とする請求項１乃至３の何れかに記載の自動販売機の商品販売システム。
【請求項５】
前記管理装置は、金融関連機関との間で、前記自動販売機の制御手段からの決済情報に基づく決済処理を行うことを特徴とする請求項４記載の自動販売機の商品販売システム。
【請求項６】
前記管理装置は、金融関連機関から決済のための先払い価値情報を受け取り、前記自動販売機の制御手段からの決済情報に基づく決済処理を行うことを特徴とする請求項４記載の自動販売機の商品販売システム。
【請求項７】
前記管理装置は、一定期間毎に決済処理を行うことを特徴とする請求項５または６記載の自動販売機の商品販売システム。
【請求項８】
前記自動販売機の入力手段は、利用者が利用者識別情報を入力するためのキー操作部を有することを特徴とする請求項１乃至７の何れかに記載の自動販売機の商品販売システム。
【請求項９】
前記自動販売機の入力手段は、利用者の携帯端末からの利用者識別情報を無線で受信するための受信部を有することを特徴とする請求項１乃至７の何れかに記載の自動販売機の商品販売システム。
【請求項１０】
前記利用者端末は、利用者の携帯端末であることを特徴とする請求項１乃至９の何れかに記載の自動販売機の商品販売システム。
【請求項１１】
利用者識別情報を記憶する記憶手段と、利用者識別情報を入力する入力手段と、前記記憶手段および前記入力手段からの利用者識別情報の比較結果に応じて商品を販売するとともに商品の売買取引を終了するための決済情報を作成する制御手段と、から成る自動販売機の決済を管理する管理装置であって、
利用者識別情報を作成して利用者端末および前記自動販売機の記憶手段に送信し、且つ、前記自動販売機の制御手段からの決済情報を受信して決済処理を行うことを特徴とする管理装置。
【請求項１２】
前記利用者端末から自動販売機選択情報を受信し、複数の自動販売機の中から自動販売機選択情報と対応する自動販売機を選択し、利用者識別情報をこの自動販売機の記憶手段に送信することを特徴とする請求項１１記載の管理装置。
【請求項１３】
利用者識別情報を一定期間毎に変更して、前記利用者端末および前記自動販売機の記憶手段に再送信することを特徴とする請求項１１または１２記載の管理装置。
【請求項１４】
前記自動販売機の制御手段から利用者識別情報および商品販売金額情報を関連付けた決済情報を受信することを特徴とする請求項１１乃至１３の何れかに記載の管理装置。
【請求項１５】
金融関連機関との間で、前記自動販売機の制御手段からの決済情報に基づく決済処理を行うことを特徴とする請求項１４記載の管理装置。
【請求項１６】
金融関連機関から決済のための先払い価値情報を受け取り、前記自動販売機の制御手段からの決済情報に基づく決済処理を行うことを特徴とする請求項１４記載の管理装置。
【請求項１７】
一定期間毎に決済処理を行うことを特徴とする請求項１５または１６記載の管理装置。
【請求項１８】
前記自動販売機の入力手段は、利用者が利用者識別情報を入力するためのキー操作部を有することを特徴とする請求項１１乃至１７の何れかに記載の管理装置。
【請求項１９】
前記自動販売機の入力手段は、利用者の携帯端末から利用者識別情報を無線で受信するための受信部を有することを特徴とする請求項１１乃至１７の何れかに記載の管理装置。
【請求項２０】
前記利用者端末は、利用者の携帯端末であることを特徴とする請求項１１乃至１９の何れかに記載の管理装置。
【請求項２１】
利用者識別情報を記憶する記憶手段と、利用者識別情報を入力する入力手段と、前記記憶手段および前記入力手段からの利用者識別情報の比較結果に応じて商品を販売するとともに商品の売買取引を終了するための決済情報を作成する制御手段と、を備え、
前記記憶手段は、管理装置が作成する利用者識別情報を利用者端末とともに受信し、且つ、前記制御手段は、前記管理装置が決済情報を用いて決済処理を行うように決済情報を送信することを特徴とする自動販売機。
【請求項２２】
前記管理装置が、前記利用者端末から自動販売機選択情報を受信するとともに、複数の自動販売機の中から自動販売機選択情報と対応する自動販売機を選択したとき、この自動販売機の記憶手段は、前記管理装置から利用者識別情報を受信することを特徴とする請求項２１記載の自動販売機。
【請求項２３】
前記記憶手段は、前記管理装置が一定期間毎に変更する利用者識別情報を、前記利用者端末とともに受信することを特徴とする請求項２１または２２記載の自動販売機。
【請求項２４】
前記制御手段は、利用者識別情報および商品販売金額情報を関連付けた決済情報を前記管理装置に送信することを特徴とする請求項２１乃至２３の何れかに記載の自動販売機。
【請求項２５】
前記制御手段は、前記管理手段が金融関連機関との間で決済処理を行うように決済情報を送信することを特徴とする請求項２４記載の自動販売機。
【請求項２６】
前記制御手段は、前記管理手段が金融関連機関からの決済用の先払い価値情報を用いて決済処理を行うように決済情報を送信することを特徴とする請求項２４記載の自動販売機。
【請求項２７】
前記管理手段は、一定期間毎に決済処理を行うことを特徴とする請求項２５または２６記載の自動販売機。
【請求項２８】
前記入力手段は、利用者が利用者識別情報を入力するためのキー操作部を有することを特徴とする請求項２１乃至２７の何れかに記載の自動販売機。
【請求項２９】
前記入力手段は、利用者の携帯端末から利用者識別情報を無線で受信するための受信部を有することを特徴とする請求項２１乃至２７の何れかに記載の自動販売機。
【請求項３０】
前記利用者端末は、利用者の携帯端末であることを特徴とする請求項２１乃至２９の何れかに記載の自動販売機。
【発明の詳細な説明】
【０００１】
【発明の属する技術分野】
本発明は、自動販売機、管理装置、自動販売機の商品販売システムに関する。
【０００２】
【従来の技術】
近年、カード媒体を使用する自動販売機は、増加しており、特に、後払い方式のカード媒体（接触型または非接触型のＩＣカード）を使用する自動販売機は、特定の利用者が使用する頻度の高い会社、学校等のロケーションに設置される。
【０００３】
そして、利用者は、現金を携帯せずに商品を気軽に購入できるので、カード媒体を使用する自動販売機の稼働率は、現金を使用する自動販売機の稼働率と比べて向上するものである。
【０００４】
【発明が解決しようとする課題】
しかし、上記の利用者は、カード媒体を携行しなければならないので、カード媒体を破損または紛失して商品を購入できなくなる問題があった。また、上記の会社、学校等は、カード媒体内の利用者識別情報の読み取り、商品の販売、および、商品の販売金額の決済を行うためのシステムを導入しなければならないので、システムの開発、設備投資、維持に高額の費用を要して普及の妨げとなる問題があった。
【０００５】
そこで、本発明は、後払い方式の決済を低額の費用で実現できる、自動販売機、管理装置、自動販売機の商品販売システムを提供することを目的とする。
【０００６】
【課題を解決するための手段】
本発明は、前記問題点を解決するために創作されたものである。
【０００７】
請求項１の自動販売機の商品販売システムは、利用者識別情報を記憶する記憶手段と、利用者識別情報を入力する入力手段と、前記記憶手段および前記入力手段からの利用者識別情報の比較結果に応じて商品を販売するとともに商品の売買取引を終了するための決済情報を作成する制御手段と、を有する自動販売機と、利用者識別情報を作成して利用者端末および前記自動販売機の記憶手段に送信し、前記自動販売機の制御手段からの決済情報を受信して決済処理を行う管理装置と、から成るものである。請求項１１の管理装置は、利用者識別情報を記憶する記憶手段と、利用者識別情報を入力する入力手段と、前記記憶手段および前記入力手段からの利用者識別情報の比較結果に応じて商品を販売するとともに商品の売買取引を終了するための決済情報を作成する制御手段と、から成る自動販売機の決済を管理するものであって、利用者識別情報を作成して利用者端末および前記自動販売機の記憶手段に送信し、且つ、前記自動販売機の制御手段からの決済情報を受信して決済処理を行うものである。請求項２１の自動販売機は、利用者識別情報を記憶する記憶手段と、利用者識別情報を入力する入力手段と、前記記憶手段および前記入力手段からの利用者識別情報の比較結果に応じて商品を販売するとともに商品の売買取引を終了するための決済情報を作成する制御手段と、を備え、前記記憶手段は、管理装置が作成する利用者識別情報を利用者端末とともに受信し、且つ、前記制御手段は、前記管理装置が決済情報を用いて決済処理を行うように決済情報を送信するものである。これより、利用者は、管理装置からの利用者識別情報を通常携行する携帯電話等を利用して記憶しておけばよいので、特別の媒体（カード媒体等）など携行せずに商品を気軽且つ確実に購入できる作用効果を奏する。また、自動販売機は、商品を販売するその都度、利用者識別情報の正誤を自動販売機自体で判別するので、管理装置との間の通信費用を低減できる作用効果を奏する。また、管理装置は、自動販売機の管理会社（オペレータ等）が集中管理すればよいので、システム自体の汎用性を高めて設置費用を低減できる作用効果を奏する。
【０００８】
請求項２の自動販売機の商品販売システムは、請求項１に係り、請求項１２の管理装置は、請求項１１に係るものであり、前記管理装置は、前記利用者端末からの自動販売機選択情報を受信し、複数の自動販売機の中から自動販売機選択情報と対応する自動販売機を選択し、利用者識別情報をこの自動販売機の記憶手段に送信するものである。請求項２２の自動販売機は、請求項２１に係り、前記管理装置が、前記利用者端末から自動販売機選択情報を受信するとともに、複数の自動販売機の中から自動販売機選択情報と対応する自動販売機を選択したとき、この自動販売機の記憶手段は、前記管理装置から利用者識別情報を受信するものである。これより、利用者が商品購入を希望する自動販売機のみが当該利用者の利用者識別情報を記憶するので、第三者が他人の利用者識別情報を用いて商品を不正購入する不具合を低減できる作用効果を奏する。
【０００９】
請求項３の自動販売機の商品販売システムは、請求項１または２に係り、請求項１３の管理装置は、請求項１１または１２に係るものであり、前記管理装置は、利用者識別情報を一定期間毎に変更して、前記利用者端末および前記自動販売機の記憶手段に再送信するものである。請求項２３の自動販売機は、請求項２１または２２に係り、前記記憶手段は、前記管理装置が一定期間毎に変更する利用者識別情報を、前記利用者端末とともに受信するものである。これより、利用者識別情報を固定しないので、第三者が他人の利用者識別情報を用いて商品を不正購入する不具合を更に低減できる作用効果を奏する。
【００１０】
請求項４の自動販売機の商品販売システムは、請求項１乃至３の何れかに係り、請求項１４の管理装置は、請求項１１乃至１３の何れかに係るものであり、前記管理装置は、前記自動販売機の制御手段から利用者識別情報および商品販売金額情報を関連付けた決済情報を受信するものである。請求項２４の自動販売機は、請求項２１乃至２３の何れかに係り、前記制御手段は、利用者識別情報および商品販売金額情報を関連付けた決済情報を前記管理装置に送信するものである。これより、管理装置は、決済情報をそのまま使用できるので、迅速な決済処理を実現できる作用効果を奏する。
【００１１】
請求項５の自動販売機の商品販売システムは、請求項４に係り、請求項１５の管理装置は、請求項１４に係るものであり、前記管理装置は、金融関連機関との間で、前記自動販売機の制御手段からの決済情報に基づく決済処理を行うものである。請求項２５の自動販売機は、請求項２４に係り、前記制御手段は、前記管理手段が金融関連機関との間で決済処理を行うように決済情報を送信するものである。これより、管理装置は、金融関連機関が最終的な決済処理を行うための決済情報を送信するだけでよいので、決済処理に関する諸問題の発生を低減できる作用効果を奏する。
【００１２】
請求項６の自動販売機の商品販売システムは、請求項４に係り、請求項１６の管理装置は、請求項１４に係るものであり、前記管理装置は、金融関連機関から決済のための先払い価値情報を受け取り、前記自動販売機の制御手段からの決済情報に基づく決済処理を行うものである。請求項２６の自動販売機は、請求項２４に係り、前記制御手段は、前記管理手段が金融関連機関からの決済用の先払い価値情報を用いて決済処理を行うように決済情報を送信するものである。これより、管理装置は、全利用者の決済の情報収集から処理終了までを集中管理できる作用効果を奏する。
【００１３】
請求項７の自動販売機の商品販売システムは、請求項５または６に係り、請求項１７の管理装置は、請求項１５または１６に係り、請求項２７の自動販売機は、請求項２５または２６に係るものであり、前記管理装置は、一定期間毎に決済処理を行うものである。これより、自動販売機と管理装置との間の通信費用を低減できる作用効果を奏する。
【００１４】
請求項８の自動販売機の商品販売システムは、請求項１乃至７の何れかに係り、請求項１８の管理装置は、請求項１１乃至１７の何れかに係り、請求項２８の自動販売機は、請求項２１乃至２７の何れかに係るものであり、前記自動販売機の入力手段は、利用者が利用者識別情報を入力するためのキー操作部を有するものである。これより、利用者は、手ぶらで商品を購入できる作用効果を奏する。
【００１５】
請求項９の自動販売機の商品販売システムは、請求項１乃至７の何れかに係り、請求項１９の管理装置は、請求項１１乃至１７の何れかに係り、請求項２９の自動販売機は、請求項２１乃至２７の何れかに係るものであり、前記自動販売機の入力手段は、利用者の携帯端末からの利用者識別情報を無線で受信するための受信部を有するものである。これより、利用者は、正確な利用者識別情報を入力できる作用効果を奏する。
【００１６】
請求項１０の自動販売機の商品販売システムは、請求項１乃至９の何れかに係り、請求項２０の管理装置は、請求項１１乃至１９の何れかに係り、請求項３０の自動販売機は、請求項２１乃至２９の何れかに係るものであり、前記利用者端末は、利用者の携帯端末である。これより、利用者は、利用者識別情報の取得から商品の購入までを短時間で実現できる作用効果を奏する。
【００１７】
【発明の実施の形態】
本発明の詳細を図面に従って具体的に説明する。
【００１８】
図１は本発明を適用する自動販売機の正面図の一例であり、例えば缶飲料を販売するものとする。
【００１９】
図１において、前扉１は、自動販売機の左側面端を支軸として開閉するものであり、コラム設定、缶飲料補充等を行うときは開錠して開き、通常販売を行うときは施錠して閉じておくものである。パネル２は、透明な樹脂板であり、内部に陳列されている複数種類の缶飲料サンプル３を確認するためのものである。つまり、利用者は、パネル２を通して複数種類の缶飲料サンプル３を見渡すことにより、購入したい缶飲料を選択できる。硬貨投入口４は、利用者が硬貨を投入する部分であり、投入硬貨は自動販売機内部のコインメカに供給される。紙幣挿入口５は、利用者が紙幣を挿入する部分であり、挿入紙幣は自動販売機内部のビルバリに供給される。表示部６（有機ＥＬ、ＬＣＤ、ＬＥＤ等）は、投入硬貨金額、挿入紙幣金額等を表示するものである。商品選択釦７は、販売可ランプおよび売り切れランプを内蔵し、缶飲料サンプル３それぞれに対応してパネル２に設けられるものである。販売可ランプは、利用者が少なくとも１本の缶飲料を購入できる硬貨投入または紙幣挿入を行うと、自動販売機内部のコラムに缶飲料が収容されている場合のみ、この缶飲料に対応するものが点灯する。売り切れランプは、自動販売機内部の所定コラムが空になると、この缶飲料に対応するものが常時点灯する。販売可ランプが点灯している商品選択釦７を押下すると、この缶飲料サンプル３に対応する缶飲料が商品取出口８まで搬出される。返却レバー９は、投入硬貨を返却口１０から返却したり、投入硬貨または挿入紙幣から缶飲料購入金額を差し引いた釣銭を返却口１０から返却したりするためのものである。キー操作部１１（入力手段）は、０〜９のテンキーと、訂正キーと、ＯＫキーとを前面に配列したものであり、利用者が缶飲料を購入する際に、硬貨投入または紙幣挿入を行う代わりに、数字数桁から成る利用者ＩＤ（利用者識別情報）を操作入力するものである。尚、利用者の携帯端末から自動販売機へ近距離無線通信を用いて利用者ＩＤを送信するようにしてもよい。この場合、携帯端末および自動販売機は、近距離無線通信を行うための送受信部を有する。
【００２０】
図２は本発明の自動販売機の動作を説明するためのブロック図である。
【００２１】
図２において、主制御部１０１（制御手段）は、自動販売機の制御を統括するものであり、ＲＯＭ、ＣＰＵ、ＲＡＭ（記憶手段）、カウンタ等の周辺回路から成るものである。詳述すると、ＲＯＭは、後述する複数の従制御部を統括制御するためのプログラムデータが予め格納されたものであり、ＣＰＵは、ＲＯＭから読み出されたプログラムデータの解読結果に従って複数の従制御部を統括制御するものであり、ＲＡＭは、ＣＰＵによる演算結果、複数の従制御部からの各種データ等の書き込みまたは読み出しを行うものである。ハードウエア面では、ＲＯＭは、データを製造工程で焼き付け固定するマスクＲＯＭ、データを紫外線消去することによりデータを繰り返し書き込み読み出しできるＥＰＲＯＭ、またはデータを電気消去することによりデータを繰り返し書き込み読み出しできるＥＥＰＲＯＭ（フラッシュＲＯＭを含む）等の不揮発性メモリである。ＣＰＵは、ＲＯＭの実行アドレスを指定するプログラムカウンタ、ＲＯＭからの読み出し内容を解読するインストラクションデコーダ、論理演算を行う演算論理ユニット、演算データを一時格納するアキュムレータ等を内蔵する。ＲＡＭは、ＳＲＡＭ等の揮発性メモリであり、バックアップ電源を用いて記憶内容を保持する。
【００２２】
硬貨処理制御部１０２、紙幣処理制御部１０３、接客制御部１０４、販売制御部１０５、通信部１０６は、複数の従制御部に相当し、ハードウエア面において、主制御部１０１と同様のＲＯＭ、ＣＰＵ、ＲＡＭを内蔵する。硬貨投入機構１０７は、釣銭切れを検出する釣銭切れセンサを備え、硬貨投入口４からの投入硬貨を受け取り、必要に応じて釣銭を返却口１０から返却するものである。硬貨処理制御部１０２は、硬貨投入機構１０７を制御し、投入硬貨の金種、正偽等の判別、金種別枚数の計算、金庫への余剰硬貨の収容、釣銭払い出し等を行わせるものである。紙幣挿入機構１０８は、硬貨投入機構１０７と同様に、釣札切れを検出する釣札切れセンサを備え、紙幣挿入口５からの挿入紙幣を受け取り、必要に応じて釣札を紙幣挿入口５から返却するものである。紙幣処理制御部１０３は、紙幣挿入機構１０８を制御し、挿入紙幣の金種、正偽等の判別、金種別枚数の計算、釣札払い出し等を行わせるものである。硬貨処理制御部１０２および紙幣処理制御部１０３は、硬貨投入および紙幣挿入が行われるその都度、処理動作を実行する。尚、硬貨処理制御部１０２および硬貨投入機構１０７はコインメカを構成し、紙幣処理制御部１０３および紙幣挿入機構１０８はビルバリを構成するが、コインメカおよびビルバリの代わりに、先払いカードまたは後払いカードを挿入するカード読み取り装置（図示せず）を設けることによって、カップ飲料を販売できるようにしてもよい。接客面１０９は、表示部６、商品選択釦７、販売中ランプ（図示せず）、販売中止ランプ（図示せず）、釣銭切れランプ（図示せず）、キー操作部１１から成るものである。接客制御部１０４は、接客面１０９を制御する。先ず、接客制御部１０４は、キー入力部１１からの利用者ＩＤを主制御部１０１に送信する。次に、接客制御部１０４は、主制御部１０１からの缶飲料販売に関する接客指示に従って、上記の販売中ランプ、販売中止ランプ、釣銭切れランプを点灯させたり、販売飲料別の商品選択釦７の販売可ランプまたは売り切れランプを点灯させたり、更には、複数の商品選択釦７の何れが押下されたのかを検出し、このときの検出信号を主制御部１０１に送信したりする。販売機構１１０は、缶飲料を商品取出口８まで搬出するものである。販売制御部１０５は、販売機構１１０を制御し、接客制御部１０４からの前記検出信号に応答した主制御部１０１からの販売指示に従って、利用者が希望する缶飲料を商品取出口８まで搬出するものである。
【００２３】
リモコン１１１は、キー１１２（テンキー、ファンクションキー等）と、キー１１２の操作に関する内容を表示する表示部１１３（有機ＥＬ、ＬＣＤ等）とを、前面に備えたものである。リモコン１１１は、主制御部１０１と有線で接続されるとともに、前扉１の裏面に着脱自在に配設され、缶飲料のためのコラム設定、金額設定、メンテナンス等を行う際に操作するものである。主制御部１０１は、リモコン１１１からの入力情報に基づいて、硬貨処理制御部１０２、紙幣処理制御部１０３、接客制御部１０４、販売制御部１０５、通信部１０６に対して、それぞれの指示を行う。
【００２４】
通信部１０６は、通信回線を介して、自動販売機の管理会社のホストコンピュータまたはインターネット上のサーバ等に接続される。通信部１０６は、主制御部１０１のＲＡＭが記憶する各種テーブルの情報を、上記のホストコンピュータ、サーバ等に送信する。これより、自動販売機の管理会社は、利用者の携帯端末に対して、新商品、人気商品等をリアルタイムで案内するという販売促進活動を実行できることになる。更に、自動販売機の管理会社は、決済処理も実行できることになる。
【００２５】
尚、主制御部１０１と従制御部１０２〜１０６との間の通信は、主制御部１０１が優先的な送信権を有するポーリング方式、或いは、主制御部１０１および従制御部１０２〜１０６が対等な送信権を有するコンテンション方式の何れであってもよい。
【００２６】
図３は、本発明の自動販売機の商品販売システムを説明するための図である。
【００２７】
図３において、自動販売機２０１は、図１および図２に説明したものである。自動販売機２０１の主制御部１０１のＲＡＭは、利用者が登録した本来の利用者ＩＤと、利用者が自動販売機２０１から購入した缶飲料に関する諸情報（種類、購入価格、購入日時等の商品販売金額情報）とを関連付けて記憶する図４のテーブルＡ（決済情報）を有する。自動販売機２０１は、利用者がキー操作部１１から利用者ＩＤを操作入力すると、キー操作部１１からの利用者ＩＤと上記のテーブルＡの利用者ＩＤとを比較判別し、両者の利用者ＩＤが一致したとき、利用者が指定する缶飲料を販売するとともに上記のテーブルＡの内容を更新する。自動販売機２０１は、上記のテーブルＡの内容を一定期間（例えば１日、１週間等）毎に、通信回線２０２、インターネット２０３を介して後述する管理サーバに送信する。これより、自動販売機２０１は、缶飲料を販売するその都度、利用者の正誤を主制御部１０１と接客制御部１０４との間で内部判別するので、後述する管理サーバと一々通信接続する必要がなくなり、通信費用を大幅に削減できる。
【００２８】
第１管理サーバ２０４（管理装置）は、缶飲料の製造および販売に関わる会社（例えば製造販売会社、オペレータ会社等）が管理するものであり、インターネット２０３上の１Ｗｅｂである。
【００２９】
先ず、第１管理サーバ２０４は、利用者ＩＤを発行する機能を有する。詳述すると、第１管理サーバ２０４は、携帯電話２０５（利用者端末、携帯端末）からの利用者ＩＤの要求に応答して、数字数桁から成る唯一無二の利用者ＩＤを新規作成して携帯電話２０５に送信する。第１管理サーバ２０４は、第三者が他人の利用者ＩＤを不正使用するのを防止するため、利用者ＩＤの数桁を固定値とし且つ残りの数桁を一定期間（例えば１週間）毎に変更する可変値とする。第１管理サーバ２０４は、利用者ＩＤの残りの数桁を変更するその都度、利用者ＩＤを第１管理サーバ２０４上にパスワードを設けて配置するか、或いは、利用者ＩＤを電子メール等の手段を用いて携帯電話２０５に送信する。これより、利用者は、自分の変更後の利用者ＩＤを迅速に確認できる。更に、利用者は、利用者ＩＤを携帯電話２０５内のメモリに記憶しておけば、キー操作部１１を操作するとき、自分の記憶に頼らずに正確な利用者ＩＤを確認できる。
【００３０】
次に、第１管理サーバ２０４は、利用者が指定する少なくとも１台の自動販売機２０１に利用者ＩＤを送信する機能を有する。詳述すると、第１管理サーバ２０４は、利用者ＩＤを発行した後、携帯電話２０５からの自動販売機番号（自動販売機選択情報）に応答して、この自動販売機番号と対応する自動販売機２０１に利用者ＩＤを送信する。第１管理サーバ２０４は、自動販売機２０１の設置場所の住所と自動販売機番号とを関連付けて記憶するテーブルを有し、利用者は、第１管理サーバ２０４と携帯電話２０５との間の通信で上記のテーブルを参照することによって、自動販売機番号を確認する。尚、自動販売機番号を表示するラベルを自動販売機２０１の前扉１に貼付してもよい。これより、利用者が指定する自動販売機２０１のみが利用者ＩＤを保持するので、第三者が他人の利用者ＩＤを不正使用するのを低減できる。
【００３１】
次に、第１管理サーバ２０４は、利用者の缶飲料の購入金額（後払い）を１ヶ月単位で決済処理する機能を有する。詳述すると、第１管理サーバ２０４は、利用者の携帯電話２０５の電話番号と、利用者ＩＤと、利用者の購入累積金額と、利用者が使用する金融関連機関の情報（銀行の口座番号、クレジット会社のＩＤ番号等）とを、関連付けて記憶する図５のテーブルＢを有する。第１管理サーバ２０４は、自動販売機２０１の主制御部１０１内のテーブルＡの内容を受信する毎に、テーブルＡ、Ｂの利用者ＩＤを照合して、テーブルＢの内容を更新する。第１管理サーバ２０４は、１ヶ月単位で、テーブルＢの内容を銀行およびクレジット会社に種別して、各銀行が管理する第２管理サーバ２０６および各クレジット会社が管理する第３管理サーバ２０７に送信する。第２管理サーバ２０６および第３管理サーバ２０７は、第１管理サーバ２０４からのテーブルＢの内容に基づいて決済処理を実行し、決済処理結果を第１管理サーバ２０４に返信する。
【００３２】
尚、第１管理サーバ２０４は、利用者の銀行口座から一定金額（先払い価値情報）を電子マネーとして移動し、第１管理サーバ２０４自体でテーブルＢの内容に基づいて決済処理を実行してもよい。
【００３３】
図６は、本発明の自動販売機の商品販売システムの動作の流れを説明するための図である。
【００３４】
先ず、利用者は、携帯電話２０５から第１管理サーバへ利用者ＩＤの発行を要求する。第１管理サーバ２０４は、この要求に応答して、利用者が使用する金融関連機関の情報（銀行の口座番号、クレジット会社のＩＤ番号等）を携帯電話２０５に要求する。利用者は、この要求に応答して、携帯電話２０５から第１管理サーバへ金融関連機関の情報を送信する。第１管理サーバ２０４は、金融関連機関の情報のうち、銀行の口座番号を第２管理サーバ２０６に送信し、クレジット会社のＩＤ番号を第３管理サーバ２０７に送信し、正誤の判別を要求する。第２管理サーバ２０６は、この要求に応答して、銀行の口座番号の正誤の判別結果を第１管理サーバ２０４に送信する。同様に、第３管理サーバ２０７は、この要求に応答して、クレジット会社のＩＤ番号の正誤の判別結果を第１管理サーバ２０４に送信する。第１管理サーバ２０４は、第２管理サーバ２０６または第３管理サーバ２０７からの“正”の判別結果を受信すると、利用者ＩＤを新規作成して携帯電話２０５に送信する。これより、利用者は、利用者自身のための唯一無二の利用者ＩＤを取得する。
【００３５】
第１管理サーバ２０４は、利用者が指定する自動販売機２０１の自動販売機番号を携帯電話２０５に要求する。利用者は、この要求に応答して、携帯電話２０５から第１管理サーバ２０４へ自動販売機番号を送信する。第１管理サーバ２０４は、利用者ＩＤを自動販売機番号と対応する自動販売機２０１に送信する。該当する自動販売機２０１の主制御部１０１内のＲＡＭは、利用者ＩＤをテーブルＡに記憶する。これより、利用者が指定する自動販売機２０１のみ、利用者ＩＤを記憶する。
【００３６】
利用者が、キー操作部１１から利用者ＩＤを操作入力すると、接客制御部１０４は、利用者ＩＤの固定値のみ確認できるように表示部６に表示する。一方、接客制御部１０４は、利用者ＩＤを主制御部１０１に送信し、主制御部１０１は、キー操作部１１からの利用者ＩＤの正誤を判別する。主制御部１０１は、キー操作部１１からの利用者ＩＤを正しいものと判別すると、利用者が希望する缶飲料を販売するための販売信号を販売制御部１０５に送信する。販売制御部１０５は、販売機構１１０を制御して缶飲料を払い出すとともに販売終了信号を主制御部１０１に送信する。主制御部１０１は、販売終了信号に応答してテーブルＡの内容を更新し、一定期間（例えば１日、１週間等）毎に第１管理サーバ２０４に送信する。第１管理サーバ２０４は、テーブルＡ、Ｂの利用者ＩＤを照合してテーブルＢの内容を更新し、１ヶ月単位で決済処理先となる第２管理サーバ２０７および第３管理サーバ２０８に送信する。
【００３７】
【発明の効果】
本発明によれば、以下の利点を有する。
【００３８】
請求項１の自動販売機の商品販売システムは、利用者識別情報を記憶する記憶手段と、利用者識別情報を入力する入力手段と、前記記憶手段および前記入力手段からの利用者識別情報の比較結果に応じて商品を販売するとともに商品の売買取引を終了するための決済情報を作成する制御手段と、を有する自動販売機と、利用者識別情報を作成して利用者端末および前記自動販売機の記憶手段に送信し、前記自動販売機の制御手段からの決済情報を受信して決済処理を行う管理装置と、から成るものである。請求項１１の管理装置は、利用者識別情報を記憶する記憶手段と、利用者識別情報を入力する入力手段と、前記記憶手段および前記入力手段からの利用者識別情報の比較結果に応じて商品を販売するとともに商品の売買取引を終了するための決済情報を作成する制御手段と、から成る自動販売機の決済を管理するものであって、利用者識別情報を作成して利用者端末および前記自動販売機の記憶手段に送信し、且つ、前記自動販売機の制御手段からの決済情報を受信して決済処理を行うものである。請求項２１の自動販売機は、利用者識別情報を記憶する記憶手段と、利用者識別情報を入力する入力手段と、前記記憶手段および前記入力手段からの利用者識別情報の比較結果に応じて商品を販売するとともに商品の売買取引を終了するための決済情報を作成する制御手段と、を備え、前記記憶手段は、管理装置が作成する利用者識別情報を利用者端末とともに受信し、且つ、前記制御手段は、前記管理装置が決済情報を用いて決済処理を行うように決済情報を送信するものである。これより、利用者は、管理装置からの利用者識別情報を通常携行する携帯電話等を利用して記憶しておけばよいので、特別の媒体（カード媒体等）など携行せずに商品を気軽且つ確実に購入できる。また、自動販売機は、商品を販売するその都度、利用者識別情報の正誤を自動販売機自体で判別するので、管理装置との間の通信費用を低減できる。また、管理装置は、自動販売機の管理会社（オペレータ等）が集中管理すればよいので、システム自体の汎用性を高めて設置費用を低減できる。
【００３９】
請求項２の自動販売機の商品販売システムは、請求項１に係り、請求項１２の管理装置は、請求項１１に係るものであり、前記管理装置は、前記利用者端末からの自動販売機選択情報を受信し、複数の自動販売機の中から自動販売機選択情報と対応する自動販売機を選択し、利用者識別情報をこの自動販売機の記憶手段に送信するものである。請求項２２の自動販売機は、請求項２１に係り、前記管理装置が、前記利用者端末から自動販売機選択情報を受信するとともに、複数の自動販売機の中から自動販売機選択情報と対応する自動販売機を選択したとき、この自動販売機の記憶手段は、前記管理装置から利用者識別情報を受信するものである。これより、利用者が商品購入を希望する自動販売機のみが当該利用者の利用者識別情報を記憶するので、第三者が他人の利用者識別情報を用いて商品を不正購入する不具合を低減できる。
【００４０】
請求項３の自動販売機の商品販売システムは、請求項１または２に係り、請求項１３の管理装置は、請求項１１または１２に係るものであり、前記管理装置は、利用者識別情報を一定期間毎に変更して、前記利用者端末および前記自動販売機の記憶手段に再送信するものである。請求項２３の自動販売機は、請求項２１または２２に係り、前記記憶手段は、前記管理装置が一定期間毎に変更する利用者識別情報を、前記利用者端末とともに受信するものである。これより、利用者識別情報を固定しないので、第三者が他人の利用者識別情報を用いて商品を不正購入する不具合を更に低減できる。
【００４１】
請求項４の自動販売機の商品販売システムは、請求項１乃至３の何れかに係り、請求項１４の管理装置は、請求項１１乃至１３の何れかに係るものであり、前記管理装置は、前記自動販売機の制御手段から利用者識別情報および商品販売金額情報を関連付けた決済情報を受信するものである。請求項２４の自動販売機は、請求項２１乃至２３の何れかに係り、前記制御手段は、利用者識別情報および商品販売金額情報を関連付けた決済情報を前記管理装置に送信するものである。これより、管理装置は、決済情報をそのまま使用できるので、迅速な決済処理を実現できる。
【００４２】
請求項５の自動販売機の商品販売システムは、請求項４に係り、請求項１５の管理装置は、請求項１４に係るものであり、前記管理装置は、金融関連機関との間で、前記自動販売機の制御手段からの決済情報に基づく決済処理を行うものである。請求項２５の自動販売機は、請求項２４に係り、前記制御手段は、前記管理手段が金融関連機関との間で決済処理を行うように決済情報を送信するものである。これより、管理装置は、金融関連機関が最終的な決済処理を行うための決済情報を送信するだけでよいので、決済処理に関する諸問題の発生を低減できる。
【００４３】
請求項６の自動販売機の商品販売システムは、請求項４に係り、請求項１６の管理装置は、請求項１４に係るものであり、前記管理装置は、金融関連機関から決済のための先払い価値情報を受け取り、前記自動販売機の制御手段からの決済情報に基づく決済処理を行うものである。請求項２６の自動販売機は、請求項２４に係り、前記制御手段は、前記管理手段が金融関連機関からの決済用の先払い価値情報を用いて決済処理を行うように決済情報を送信するものである。これより、管理装置は、全利用者の決済の情報収集から処理終了までを集中管理できる。
【００４４】
請求項７の自動販売機の商品販売システムは、請求項５または６に係り、請求項１７の管理装置は、請求項１５または１６に係り、請求項２７の自動販売機は、請求項２５または２６に係るものであり、前記管理装置は、一定期間毎に決済処理を行うものである。これより、自動販売機と管理装置との間の通信費用を低減できる。
【００４５】
請求項８の自動販売機の商品販売システムは、請求項１乃至７の何れかに係り、請求項１８の管理装置は、請求項１１乃至１７の何れかに係り、請求項２８の自動販売機は、請求項２１乃至２７の何れかに係るものであり、前記自動販売機の入力手段は、利用者が利用者識別情報を入力するためのキー操作部を有するものである。これより、利用者は、手ぶらで商品を購入できる。
【００４６】
請求項９の自動販売機の商品販売システムは、請求項１乃至７の何れかに係り、請求項１９の管理装置は、請求項１１乃至１７の何れかに係り、請求項２９の自動販売機は、請求項２１乃至２７の何れかに係るものであり、前記自動販売機の入力手段は、利用者の携帯端末からの利用者識別情報を無線で受信するための受信部を有するものである。これより、利用者は、正確な利用者識別情報を入力できる。
【００４７】
請求項１０の自動販売機の商品販売システムは、請求項１乃至９の何れかに係り、請求項２０の管理装置は、請求項１１乃至１９の何れかに係り、請求項３０の自動販売機は、請求項２１乃至２９の何れかに係るものであり、前記利用者端末は、利用者の携帯端末である。これより、利用者は、利用者識別情報の取得から商品の購入までを短時間で実現できる。
【図面の簡単な説明】
【図１】本発明を適用する自動販売機の正面図の一例である。
【図２】本発明の自動販売機の動作を説明するためのブロック図である。
【図３】本発明の自動販売機の商品販売システムを説明するための図である。
【図４】本発明の自動販売機が有するテーブルAを示す図である。
【図５】本発明の管理装置が有するテーブルＢを示す図である。
【図６】本発明の自動販売機の商品販売システムの動作の流れを説明するための図である。
【符号の説明】
１１  キー操作部
１０１  主制御部
１０４  接客制御部
１０５  販売制御部
２０１  自動販売機
２０４  第１管理サーバ
２０５  携帯電話
２０６  第２管理サーバ
２０７  第３管理サーバ
【図１】
0004770081.tif 000002
【図２】
0004770081.tif 000003
【図３】
0004770081.tif 000004
【図４】
0004770081.tif 000005
【図５】
0004770081.tif 000006
【図６】
0004770081.tif 000007